(57)【要約】      （修正有）【課題】段差が生じ難い複数の部材から構成される弾球遊技機用遊技盤を提供する。【解決手段】弾球遊技機用遊技盤１は、遊技機本体１０ａに対して取付けられる裏板３と、弾球が落下する遊技領域において裏板３の表面に対して全体的に積層されかつ相互に隣接する複数の表板４，５を有する。１つの裏板３が全体的に複数の表板裏側を支持する。そのため複数の表板４，５の間に生じ得る段差と傾斜角度差を裏板によって抑制する。また複数の表板４，５は、全体的に裏板３によって支持されるために部分的に連結される従来の分割板に比べて安定良く接続されかつ簡易に同一平面上に設置され得る。【選択図】図２
2013009698.tif 000002
【特許請求の範囲】
【請求項１】
弾球遊技機用遊技盤であって、
遊技機本体に対して取付けられる裏板と、弾球が落下する遊技領域において前記裏板の表面に対して全体的に積層されかつ相互に隣接する複数の表板を有する弾球遊技機用遊技盤。
【請求項２】
請求項１に記載の弾球遊技機用遊技盤であって、
前記遊技機本体に取付けられる基準ベースを有し、前記基準ベースに対して前記裏板が表側から脱着可能に取付けられる弾球遊技機用遊技盤。
【請求項３】
請求項２に記載の弾球遊技機用遊技盤であって、
前記基準ベースは、環状でかつ前記遊技領域の外側に位置し、かつ前記遊技領域において前記裏板によって少なくとも一部が覆われる開口窓を有する弾球遊技機用遊技盤。
【請求項４】
請求項３に記載の弾球遊技機用遊技盤であって、
前記表板は、前記表板の前記遊技領域の中心側縁を前記裏板に取付ける内側取付部と、前記表板の前記遊技領域の外側縁を前記裏板に取付ける外側取付部を有する弾球遊技機用遊技盤。
【請求項５】
請求項１〜４のいずれか１つに記載の弾球遊技機用遊技盤であって、
前記裏板と前記表板が樹脂製である弾球遊技機用遊技盤。
【請求項６】
請求項１〜５のいずれか１つに記載の弾球遊技機用遊技盤であって、
前記裏板は、前記遊技領域の外側に位置する外側領域と、前記遊技領域内に位置する内側領域を有し、
前記外側領域は、表側板部と、該表側板部の外周縁から裏側へ起立する側部を有し、
前記内側領域は、前記側部から前記遊技領域の中心側へ延出する底板部と、前記底板部の外周縁から裏側へ起立する補強部を有し、
前記底板部の表側に前記表板が設置されかつ前記表板が前記側部に隣接される弾球遊技機用遊技盤。
【発明の詳細な説明】
【技術分野】
【０００１】
本発明は、パチンコ機などの弾球遊技機に設けられる遊技盤に関する。
【背景技術】
【０００２】
パチンコ機の遊技盤は、例えば同一平面上に並べられる複数の分割板を有する。分割板の端面には、互いに嵌合される凹部と凸部（特許文献１参照）、あるいは積層される連結片（特許文献２参照）が形成される。あるいは分割板は、他の分割板の表側に延出する延出部材と、延出部材から裏側へ延出して他の分割板に形成された孔に嵌合するピンを有する。これにより複数の分割板が連結される。
【先行技術文献】
【特許文献】
【０００３】
【特許文献１】特開２００５−１６８９８８号公報
【特許文献２】特開２０１０−９９２２４号公報
【特許文献３】特開２００３−２９０４５７号公報
【発明の概要】
【発明が解決しようとする課題】
【０００４】
しかし遊技盤の表面は、弾球が落下するために段差あるいは傾斜がないことが好ましい。ところが複数の分割板を同一平面上に並べる場合には、複数の分割板間に段差が生じ易い。あるいは複数の分割板の傾斜角度に相違が生じて傾斜角度差が生じ易い。そのため段差と傾斜角度差が生じ難い複数の部材から構成される遊技盤が従来必要とされている。
【課題を解決するための手段】
【０００５】
前記課題を解決するために本発明は、各請求項に記載の通りの構成を備える弾球遊技機用遊技盤であることを特徴とする。一つの特徴によると弾球遊技機用遊技盤は、遊技機本体に対して取付けられる裏板と、弾球が落下する遊技領域において裏板の表面に対して全体的に積層されかつ相互に隣接する複数の表板を有する。
【０００６】
したがって複数の表板は、１つの裏板によって全体的に裏側が支持される。そのため複数の表板の間に生じ得る段差と傾斜角度差が裏板によって抑制され得る。また複数の表板は、全体的に裏板によって支持されるために部分的に連結される従来の分割板に比べて安定良く接続されかつ簡易に同一平面上に設置され得る。
【図面の簡単な説明】
【０００７】
【図１】弾球遊技機の斜視図である。
【図２】前枠が開き位置の場合における弾球遊技機の斜視図である。
【図３】弾球遊技機の分解斜視図である。
【図４】遊技盤の表側からの分解斜視図である。
【図５】遊技盤の裏側からの分解斜視図である。
【図６】遊技盤の表側からの斜視図である。
【図７】遊技盤の裏側からの斜視図である。
【発明を実施するための形態】
【０００８】
本発明の一つの実施の形態を図１〜７にしたがって説明する。弾球遊技機１０は、図１，２に示すようにパチンコ機であって、遊技機本体１０ａと遊技盤１を有する。遊技機本体１０ａは、外枠１１と前枠１２と中枠１３を有する。外枠１１は、矩形状であって中央に開口部を有し、開口部に中枠１３が開閉可能に設置される。
【０００９】
前枠１２は、図１，２に示すように略板状であって、一端部が外枠１１の一端部に回転可能に連結される。前枠１２は、外枠１１の前側において中枠１３を覆う図１の閉じ位置と、中枠１３の表側を開放する開き位置との間を回転する。前枠１２の表側下部には、皿ユニット１４とハンドル装置１５が取付けられる。前枠１２の中央には、開口部が形成され、開口部にガラス板１２ａが装着される。
【００１０】
中枠１３は、図２，３に示すように一端部（図２，３の左端部）が外枠１１の一端部に回転可能に連結される。中枠１３は、外枠１１の開口部を覆う閉じ位置と、開口部を開く開き位置との間で回転する。中枠１３の表側には、遊技盤１が装着される。遊技盤１は、前枠１２によって覆われ、前枠１２に設けられたガラス板１２ａを通して遊技者によって視認され得る。
【００１１】
遊技盤１は、図４〜７に示すように基準ベース２と裏板３と複数の表板４，５を有する。基準ベース２は、樹脂製でかつ枠状の本体部２ａを有する。本体部２ａの中央に開口窓２ｂが形成され、開口窓２ｂに裏板３と表板４，５が設置される。本体部２ａは、遊技領域の外側においてねじなどの取付具によって中枠１３に脱着可能に取付けられる（図３参照）。遊技領域では、遊技盤１とガラス板１２ａの間において弾球が落下する。
【００１２】
裏板３は、樹脂製であって、図４，５に示すように外側領域３ａと内側領域３ｂと第二内側領域３ｃを一体に有する。外側領域３ａは、遊技領域の外側に位置し、基準ベース２に対して表側から脱着可能に取付けられる。第二内側領域３ｃは、遊技領域内に位置し、基準ベース２に対して表側から脱着可能に取付けられる。外側領域３ａと第二内側領域３ｃは、それぞれ表側板部３ａ１，３ｃ１と側部３ａ２，３ｃ２を有する。表側板部３ａ１，３ｃ１は、平面形状であって、同一面上に位置する。側部３ａ２，３ｃ２は、表側板部３ａ１，３ｃ１の外周縁から裏側へ延出し、表側板部３ａ１，３ｃ１の全周に形成される。
【００１３】
内側領域３ｂは、図４，５に示すように底板部３ｂ１と補強部３ｂ２を有する。底板部３ｂ１は、平面形状であって、側部３ａ２の後側端縁の近傍から遊技領域中心へ延出する。底板部３ｂ１は、表側板部３ａ１，３ｃ１と略平行で、表側板部３ａ１，３ｃ１よりも裏側に位置する。
【００１４】
補強部３ｂ２は、図４，５に示すように底板部３ｂ１の遊技領域中心側の端縁から裏側へ延出する。補強部３ｂ２の端部は、側部３ａ２，３ｃ２の端部と連結される。底板部３ｂ１の外周縁は、側部３ａ２，３ｃ２と補強部３ｂ２によって補強される。裏板３の中央には、開口窓３ｄが形成され、開口窓３ｄに図示省略の表示装置等が設けられる。
【００１５】
第一表板４と第二表板５は、図４，５に示すように樹脂製でかつ板状の本体部４ａ，５ａを有する。第一表板４と第二表板５は、略三日月形状であって、裏板３の底板部３ｂ１の表側に設置される。第一表板４は、底板部３ｂ１の上側領域と同形状である。第二表板５は、底板部３ｂ１の下側領域と同形状である。第一表板４と第二表板５の厚みは、表側板部３ａ１，３ｃ１と底板部３ｂ１の距離と略同じである。したがって第一表板４と第二表板５の表面と表側板部３ａ１，３ｃ１の表面は、略面一になる。
【００１６】
第一表板４と第二表板５の一端縁は、図５に示すように外側領域３ａの側部３ａ２に隣接しかつ当接される。第一表板４と第二表板５の一端部は、第二内側領域３ｃの端縁に隣接しかつ当接される。
【００１７】
第一表板４と第二表板５は、図５に示すようにねじなどの取付具によって裏板３に脱着可能に取付けられる外側取付部４ｂ，５ｂと内側取付部４ｃ，５ｃを有する。外側取付部４ｂ，５ｂは、本体部４ａ，５ａの遊技領域の外側端縁に位置する。内側取付部４ｃ，５ｃは、遊技領域の中心寄りの内側端縁に位置する。第一表板４と第二表板５には、図示省略の釘、入賞口、役物が装着される。第一表板４と第二表板５の位置と大きさは、障害釘、入賞口、役物の配置等で決定される。
【００１８】
以上のように遊技盤１は、図２に示すように遊技機本体１０ａに対して取付けられる裏板３と、弾球が落下する遊技領域において裏板３の表面に対して全体的に積層されかつ相互に隣接する複数の表板４，５を有する。
【００１９】
したがって複数の表板４，５は、１つの裏板３によって全体的に裏側が支持される。そのため複数の表板４，５の間に生じ得る段差と傾斜角度差が裏板３によって抑制され得る。また複数の表板４，５は、全体的に裏板３によって支持されるために部分的に連結される従来の分割板に比べて安定良く接続されかつ簡易に同一平面上に設置され得る。
【００２０】
遊技盤１は、図３に示すように遊技機本体１０ａに取付けられる基準ベース２を有する。基準ベース２に対して裏板３が表側から脱着可能に取付けられる。したがって裏板３に取付けられる表板４，５と表板４，５に取付けられる釘、役物等は、裏板３とともに遊技機本体１０ａに対して表側から脱着され得る。そのため裏板３が遊技機本体１０ａに対して裏側から脱着される場合に比べて釘等に邪魔されることなく、裏板３等が遊技機本体１０ａに対して容易に脱着され得る。また遊技機１０の機種変更の際には、基準ベース２を再利用し得る。そのため遊技盤１は汎用性に優れ得る。
【００２１】
基準ベース２は、図３に示すように環状でかつ遊技領域の外側に位置し、かつ遊技領域において裏板３によって少なくとも一部が覆われる開口窓２ｂを有する。したがって基準ベース２が遊技領域の外側を構成し、裏板３が遊技領域内を構成するために、基準ベース２と裏板３が一体に構成される場合等に比べて基準ベース２と裏板３を小さくし得る。かくして基準ベース２と裏板３は、大きくなることで生じ得る反りを小さくすることができる。
【００２２】
表板４，５は、図５に示すように表板４，５の遊技領域の中心側縁を裏板３に取付ける内側取付部４ｃ，５ｃと、表板４，５の遊技領域の外側縁を裏板３に取付ける外側取付部４ｂ，５ｂを有する。したがって表板４，５は、両縁が裏板３に取付けられるために、一縁のみが裏板３に取付けられることで他縁が裏板３から浮くという現象を抑制し得る。これにより複数の表板４，５の間に生じ得る段差と傾斜角度差を小さくし得る。
【００２３】
裏板３と表板４，５が樹脂製である。したがって裏板３と表板４，５は、積層される関係であるために一体に形成される場合に比べて各厚みが薄くなる。そのため厚みの厚い部品を樹脂によって成形して冷却工程において生じ得る反りを小さくし得る。これにより遊技盤１の表面が確実に平面形状にされ得る。
【００２４】
裏板３は、図４に示すように遊技領域の外側に位置する外側領域３ａと、遊技領域内に位置する内側領域３ｂを有する。外側領域３ａは、表側板部３ａ１と、表側板部３ａ１の外周縁から裏側へ起立する側部３ａ２を有する。内側領域３ｂは、側部３ａ２から遊技領域の中心側へ延出する底板部３ｂ１と、底板部３ｂ１の外周縁から裏側へ起立する補強部３ｂ２を有する。底板部３ｂ１の表側に表板４，５が設置されかつ表板４，５が側部３ａ２に隣接される。
【００２５】
したがって表側板部３ａ１は、側部３ａ２によって補強され、底板部３ｂ１は、側部３ａ２と補強部３ｂ２によって補強される。表板４，５は、側部３ａ２によって位置決めされて底板部３ｂ１の表側に設置され得る。
【００２６】
第一表板４と第二表板５は、図４，５に示すように略三日月形状である。したがって穴を形成するためのルータ加工が少なく、製造コストが安価になる。またルータ加工が少なくなることで捨てる材料が少なくなり、材料費を抑制し得る。第一表板４と第二表板５は、裏板３に比べて小さい。したがって第一表板４と第二表板５は、比較的小さな成形機で成形され得る。
【００２７】
本発明は、上記実施の形態に限定されず、以下の形態等であっても良い。例えば、図１に示す基準ベース２は、中枠１３と別部材でも良いし、中枠１３の一部材として形成されても良い。基準ベース２は、環状でも良いし、他の形状でも良い。
【００２８】
表板４，５は、裏板３の表側に全領域が設置されても良いし、略全領域（例えば９０％以上）が裏板３の表側に設置されても良い。
【００２９】
裏板３は、基準ベース２に表側から取付けられても良いし、裏側から取付けられても良い。
【００３０】
基準ベース２は、樹脂製でも良いし、木製あるいは金属製でも良い。裏板３と表板４，５は、樹脂製でも良いし、木製でも良い。
【００３１】
裏板３と表板４，５は、樹脂製であって不透明でも良いし、透明または半透明でも良い。表板４，５が透明または半透明の場合は、表板４，５を通して裏板３の色等を視認でき、これにより遊技盤１の美感が向上する。
【００３２】
裏板３の表側に２つの表板４，５が装着されても良いし、３つ以上の表板が装着されても良い。
【００３３】
弾球遊技機１０は、パチンコ機でも良いし、遊技球を発射して遊技を行う他の遊技機、例えば雀球遊技機、スマートボール遊技機、アレンジボール遊技機等でも良い。
【符号の説明】
【００３４】
１     遊技盤
２     基準ベース
２ｂ   開口窓
３     裏板
３ａ   外側領域
３ａ１，３ｃ１       表側板部
３ａ２，３ｃ２       側部
３ｂ   内側領域
３ｂ１ 底板部
３ｂ２ 補強部
４     第一表板
４ｂ，５ｂ    外側取付部
４ｃ，５ｃ    内側取付部
５     第二表板
１０   弾球遊技機
１０ａ 遊技機本体
１１   外枠
１２   前枠
１３   中枠
【図１】
2013009698.tif 000003
【図２】
2013009698.tif 000004
【図３】
2013009698.tif 000005
【図４】
2013009698.tif 000006
【図５】
2013009698.tif 000007
【図６】
2013009698.tif 000008
【図７】
2013009698.tif 000009